(57)【要約】トランザクションアカウントプロバイダは、消費者トランザクションからのトランザクション情報およびトランザクションアカウントプロバイダのウェブサイトをブラウジングする消費者からの情報、集合的に、ファーストパーティデータを得てもよい。ウェブサーバは、セカンドパーティデータを加盟店ウェブサイトの消費者の使用から得てもよい。付加的サードパーティデータが、サードパーティデータソースから購入されてもよい。広告サーバは、ファーストパーティデータ、セカンドパーティデータ、およびサードパーティデータを使用して、消費者に表示されるべき関連個人化バナー広告を選択してもよい。
2019501434.tif 000002
【特許請求の範囲】
【請求項１】
コンピュータ実装方法であって、
コンピュータベースのシステムによって、追跡ピクセルを消費者デバイスに伝送することと、
前記コンピュータベースのシステムによって、追跡データを前記追跡ピクセルから受信することと、
前記コンピュータベースのシステムによって、前記追跡データとトランザクションアカウントデータを組み合わせることと、
前記コンピュータベースのシステムによって、前記追跡データおよび前記トランザクションアカウントデータを広告サーバに伝送することと
を含み、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、方法。
【請求項２】
前記トランザクションアカウントデータは、料金の記録を含む、請求項１に記載の方法。
【請求項３】
前記個人化されたバナー広告は、前記消費者の旅行の目的地に基づいて選択される、請求項１に記載の方法。
【請求項４】
前記セカンドパーティデータは、前記消費者デバイス上のウェブクッキーによって得られる、請求項１に記載の方法。
【請求項５】
前記追跡データおよび前記トランザクションアカウントデータは、サーバ間統合を介して、前記広告サーバに伝送される、請求項１に記載の方法。
【請求項６】
前記個人化されたバナー広告は、カードメンバステータスに基づいて選択される、請求項１に記載の方法。
【請求項７】
前記個人化されたバナー広告は、動的に選択される、請求項１に記載の方法。
【請求項８】
非一過性有形コンピュータ可読記憶媒体を含む製造品であって、前記非一過性有形コンピュータ可読記憶媒体は、その上に記憶される命令を有し、前記命令は、コンピュータベースのシステムによる実行に応答して、前記コンピュータベースのシステムに、
前記コンピュータベースのシステムによって、追跡ピクセルを消費者デバイスに伝送することと、
前記コンピュータベースのシステムによって、追跡データを前記追跡ピクセルから受信することと、
前記コンピュータベースのシステムによって、前記追跡データとトランザクションアカウントデータを組み合わせることと、
前記コンピュータベースのシステムによって、前記追跡データおよび前記トランザクションアカウントデータを広告サーバに伝送することと
を含む動作を行わせ、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、製造品。
【請求項９】
前記トランザクションアカウントデータは、料金の記録を含む、請求項８に記載の物品。
【請求項１０】
前記個人化されたバナー広告は、前記消費者の旅行の目的地に基づいて選択される、請求項８に記載の物品。
【請求項１１】
前記セカンドパーティデータは、前記消費者デバイス上のウェブクッキーによって得られる、請求項８に記載の物品。
【請求項１２】
前記追跡データおよび前記トランザクションアカウントデータは、サーバ間統合を介して、前記広告サーバに伝送される、請求項８に記載の物品。
【請求項１３】
前記個人化されたバナー広告は、カードメンバステータスに基づいて選択される、請求項８に記載の物品。
【請求項１４】
前記個人化されたバナー広告は、動的に選択される、請求項８に記載の物品。
【請求項１５】
システムであって、
プロセッサと、
前記プロセッサと通信するように構成される有形非一過性メモリであって、前記有形非一過性メモリは、その上に記憶される命令を有し、前記命令は、前記プロセッサによる実行に応答して、前記プロセッサに、
前記プロセッサによって、追跡ピクセルを消費者デバイスに伝送することと、
前記プロセッサによって、追跡データを前記追跡ピクセルから受信することと、
前記プロセッサによって、前記追跡データとトランザクションアカウントデータを組み合わせることと、
前記プロセッサによって、前記追跡データおよび前記トランザクションアカウントデータを広告サーバに伝送することと
を含む動作を行わせ、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、
有形非一過性メモリと
を備える、システム。
【請求項１６】
前記トランザクションアカウントデータは、料金の記録を含む、請求項１５に記載のシステム。
【請求項１７】
前記個人化されたバナー広告は、前記消費者の旅行の目的地に基づいて選択される、請求項１５に記載のシステム。
【請求項１８】
前記セカンドパーティデータは、前記消費者デバイス上のウェブクッキーによって得られる、請求項１５に記載のシステム。
【請求項１９】
前記追跡データおよび前記トランザクションアカウントデータは、サーバ間統合を介して、前記広告サーバに伝送される、請求項１５に記載のシステム。
【請求項２０】
前記個人化されたバナー広告は、カードメンバステータスに基づいて選択される、請求項１５に記載のシステム。
【発明の詳細な説明】
【技術分野】
【０００１】
本開示は、データを複数のソースから組み合わせ、個人化されたバナー広告を作成することに関する。
【背景技術】
【０００２】
オンラインの世界では、消費者購入パターンおよびブラウジングパターンが、消費者がウェブブラウザを使用中またはオンラインショッピング中にマイニングされ得る。大量のリソースが、特定の消費者に最も好適な広告およびオファーを識別するために使用される。しかしながら、十分な情報を伴わずに消費者に具体的に調整されたオファーを提示することは困難である。複数のパーティが、消費者に関連する情報を有し得る。しかしながら、個人化された広告を提示するために、データを複数のパーティから効率的に組み合わせることは困難であり得る。
【発明の概要】
【課題を解決するための手段】
【０００３】
システム、方法、およびコンピュータ可読媒体（集合的に、「システム」）が、個人化されたバナー広告を提供するために開示される。追跡ピクセルが、消費者デバイスに伝送されてもよい。追跡データは、追跡ピクセルから受信されてもよい。追跡データは、トランザクションアカウントデータと組み合わせられてもよい。追跡データおよびトランザクションアカウントデータは、広告サーバに伝送されてもよい。サードパーティデータは、サードパーティデータソースから購入されてもよい。広告サーバは、セカンドパーティデータをウェブサーバから受信してもよい。広告サーバは、追跡データ、トランザクションアカウントデータ、サードパーティデータ、およびセカンドパーティデータを一意のクッキー内でマッチングさせてもよい。広告サーバは、一意のクッキーに基づいて、個人化されたバナー広告を選択してもよい。広告サーバは、個人化されたバナー広告を消費者デバイスに伝送してもよい。
【０００４】
前述の特徴および要素は、本明細書に別様に明示的に示されない限り、排他的ではなく、種々の組み合わせにおいて組み合わせられてもよい。これらの特徴および要素および開示される実施形態の動作は、以下の説明および添付の図面に照らしてより明白となるであろう。
【０００５】
本開示の主題は、本明細書の結論部分に特に指摘され、明白に請求される。しかしながら、本開示のより完全な理解は、同様の番号が同様の要素を示す図面と併せて検討されるとき、発明を実施するための形態および請求項を参照することによって得られ得る。
【図面の簡単な説明】
【０００６】
【図１】図１は、種々の実施形態による、個人化されたバナー広告を配信するための例示的システムを図示する。
【図２】図２は、種々の実施形態による、個人化されたバナー広告を配信するための例示的方法を図示する。
【発明を実施するための形態】
【０００７】
本明細書における種々の実施形態の詳細な説明は、例証として種々の実施形態を示す、付随の図面を参照する。それらの種々の実施形態は、当業者が本開示を実施できるように十分詳細に説明されるが、本開示の精神および範囲から逸脱することなく、他の実施形態を実現でき得ることと、論理的および機械的な変更を行え得ることとを理解すべきである。したがって、本明細書の詳細な説明は、例示のみを目的として提示され、限定は目的としていない。例えば、いずれかの方法またはプロセスの記載において説明されているステップは、任意の順に実行することができ、提示された順に限定されない。さらに、いずれかの機能またはステップは、１またはそれを上回るサードパーティへ委託する、またはサードパーティによって行われるようにすることができる。さらに、単数についての任意の言及は、複数の実施形態を含み、また、１つより多くのコンポーネントについての言及は、単一の実施形態を含み得る。
【０００８】
種々の実施形態では、図１を参照すると、種々の実施形態による、データを複数のデータソースから組み合わせ、個人化されたバナー広告を配信するために構成される、システム１００が、図示される。個人化されたバナー広告は、標的化される、カスタマイズされる、アルゴリズムに基づいて、動的、循環式、周期的、ランダムに更新される、インクリメントされる、および／またはリフレッシュ可能であってもよい。本システムおよび方法は、処理を促す（例えば、関連情報へのアクセスを有することによって）、過剰な広告の必要性を低減させる（例えば、より効果的バナー広告を個人化することによって）、および技術的障壁を克服し、情報を複数のソースから組み合わせてもよく、これは、個人的に調整された広告が消費者に伝送されることを可能にし得る。
【０００９】
本システムは、トランザクションアカウントプロバイダ（「ＴＡＰ」）データベース１１０を備えてもよい。ＴＡＰデータベース１１０は、トランザクションアカウントプロバイダによって発行されるトランザクションアカウントを使用して、消費者のトランザクションに関連するデータ（例えば、アイテムの購入等）を記憶してもよい。データは、トランザクションの金額およびトランザクションについての情報を備えてもよい。例えば、データは、消費者が特定の日付における特定の都市への航空券を購入したことを示し得る。ＴＡＰデータベース１１０はさらに、収入、地理的場所、平均出費、トランザクションアカウントステータス等の消費者についての人口統計データを備えてもよい。ＴＡＰデータベース１１０内に記憶される消費者データは、本明細書では、オフラインデータと称される。
【００１０】
「アイテム」に類似する語句および用語は、任意の商品、サービス、情報、体験、エンターテインメント、データ、オファー、割引、割戻、ポイント、仮想通貨、コンテンツ、アクセス、レンタル、リース、寄付、アカウント、クレジット、デビット、利点、権利、報酬、ポイント、クーポン、クレジット、金銭均等物、価値のある任意のもの、最小限の価値または無価値のいずれかのもの、金銭価値、非金銭価値、および／または同等物を含んでもよい。さらに、本明細書で論じられる「トランザクション」または「購入」は、アイテムと関連付けられてもよい。さらに、「報酬」は、アイテムであってもよい。
【００１１】
種々の実施形態では、システム１００はさらに、ＴＡＰサーバ１２０を備えてもよい。ＴＡＰサーバ１２０は、ネットワーク１５０を経由してＴＡＰデータベース１１０と通信する、１つまたはそれを上回るコンピュータシステムを備えてもよい。ＴＡＰサーバ１２０は、例えば、金融機関および／またはトランザクションアカウントプロバイダによって維持されてもよい。ＴＡＰサーバ１２０は、販売の間に収集される人口統計情報およびトランザクション情報を、ネットワーク１５０を通して、データ管理プラットフォーム１３０に送信してもよい。
【００１２】
種々の実施形態では、トランザクションは、トランザクションデータを備える、料金の記録（または「ＲＯＣ」）を備えてもよい。ＲＯＣは、トランザクションと関連付けられた一意の識別子を含んでもよい。トランザクションは、種々の実施形態では、ギフトカード、デビットカード、クレジットカード、および同等物と関連付けられたトランザクションアカウント等のトランザクションアカウントを使用して、１人またはそれを上回る消費者によって行われてもよい。ＲＯＣは、旅行情報、場所、加盟店名または識別子、トランザクション金額、トランザクション日付、アカウント番号、アカウントセキュリティピンまたはコード、アカウント有効期限、およびトランザクションに関する同等物等の詳細を含有してもよい。ＴＡＰサーバ１２０は、各認可／トランザクションとともに送信される、典型的ＲＯＣデータを得てもよく、ＲＯＣデータは、ＴＡＰデータベース１１０内に記憶されてもよい。
【００１３】
種々の実施形態では、ＲＯＣは、旅行データを含んでもよい。例えば、消費者は、航空券を購入してもよく、ＲＯＣは、出発時間、日付、および／または目的地を含んでもよい。同様に、ＲＯＣは、帰着時間、日付、および／または目的地を含んでもよい。
【００１４】
種々の実施形態では、各個々のトランザクション記録は、消費者が個々のトランザクション記録を発生させるトランザクションを完了することに応答して、ＴＡＰサーバ１２０に伝送されてもよい。データはまた、バッチで、周期的に、ある時間において等で得られてもよい。ＴＡＰサーバ１２０は、個々のトランザクション記録の受信に応答して、各個々のトランザクション記録を記憶および／または使用してもよい。ＴＡＰサーバ１２０はまた、個々のトランザクション記録に先立って、またはそれと同時に得られた消費者情報を記憶および／または使用してもよい。消費者情報は、内部データ、外部データ、任意のチャネルから得られたデータ等を含んでもよい。ＴＡＰサーバ１２０は、個々のトランザクション記録および消費者情報を、例えば、ＴＡＰデータベース１１０内に記憶してもよい。トランザクション情報は、消費者情報を備えてもよい。消費者は、消費者情報（例えば、関心のある加盟店、性別、年齢、または消費者による将来的購入を予測する際に使用するための他の情報）を提供してもよい。消費者に関するトランザクション情報は、消費者によって行われるトランザクションの過程において、ＴＡＰサーバ１２０によって捕捉されてもよい。
【００１５】
ＴＡＰサーバ１２０とＴＡＰデータベース１１０との間の接続がない場合、他のエンティティは、付加的パーティと提携せずに、内部データまたはＲＯＣデータを得ることが不可能であり得、これは、データをマッチングさせるために付加的クッキーを要求するであろう。
【００１６】
種々の実施形態では、ＴＡＰサーバ１２０は、例えば、トランザクションアカウントプロバイダによってホストされてもよい。「トランザクションアカウント」に類似する語句および用語は、財務的トランザクションを促進するために使用され得る、任意のアカウントを含んでもよい。「金融機関」または「トランザクションアカウントプロバイダ」に類似する語句および用語は、同義的に使用され、トランザクションアカウントサービス（例えば、支払プロセッサ）を供給する、任意のエンティティを含んでもよい。多くの場合、「金融機関」と称されるが、金融機関は、クレジットカード企業、カード支援企業、または金融機関と契約下にあるサードパーティ発行者等、任意のタイプの銀行、貸手、または他のタイプのアカウント発行機関を表してもよい。さらに、中間決済機関等の他の関係者も、トランザクションのいくつかの段階において関わり得ることに留意されたい。
【００１７】
ＴＡＰサーバ１２０は、追跡ピクセルを使用して、ＴＡＰウェブサイトとの消費者の相互作用を追跡してもよい。追跡ピクセルは、サーバコールを行い、ＧＩＦファイル等の透過性１×１画像を返す、カスタムまたはサードパーティ作成物の中に挿入される、コードを備えてもよい。追跡ピクセルは、消費者デバイスに伝送されてもよい。ＴＡＰサーバ１２０は、追跡ピクセルからの情報をオンラインクッキー内に記憶してもよい。クッキーは、ユーザのオンライン挙動についての情報を記憶する、テキストファイルである。
【００１８】
ＴＡＰサーバ１２０は、追跡ピクセルからのオフラインデータおよび情報をデータ管理プラットフォーム１３０に伝送してもよい。追跡ピクセルからのオフラインデータおよび情報は、集合的に、ファーストパーティデータと称され得る。データ管理プラットフォーム１３０は、消費者に関するオフラインデータとオンラインクッキー内のデータをマッチングさせてもよい。
【００１９】
システム１００は、データ管理プラットフォーム１３０と広告サーバ１４０との間のサーバ間統合を備えてもよい。サーバ間統合は、オンラインクッキーからのオフライン消費者データおよびデータが広告サーバ１４０に伝送されることを可能にする。広告サーバの実施例は、Ｓｉｍｐｌｉｃｉｔｙ  Ｍａｒｋｅｔｉｎｇ，ＬＴＤの商標名である、ＦＬＡＳＨＴＡＬＫＩＮＧ（ＴＭ）である。サーバ間統合は、データを伝送するためにピクセルに依拠し得る、他のシステムより迅速かつより効率的である、２つのサーバ間のデータまたは情報の直接リンクを提供する。ピクセルは、データのマッチングを要求するであろう、プロセスにおける余剰ステップとなり、より低速でありかつあまり効果的ではないであろう。対照的に、サーバ間統合は、データを伝送するために、中間ステップに依拠しない。サーバ間統合は、データを格納するものと、データを受信するものとの２つの異なる技術システムをリンクしてもよい。
【００２０】
広告サーバ１４０はさらに、広告サーバクッキーを備える。広告サーバクッキーは、消費者のウェブブラウジング履歴についての情報を記憶してもよい。例えば、広告サーバクッキーは、消費者が訪問したウェブサイトおよび消費者がクリックしたリンクに関する情報を記憶してもよい。
【００２１】
システム１００はさらに、サードパーティデータソース１７０を備えてもよい。サードパーティデータソースは、オンラインデータを記憶する、ハードウェアおよび／またはソフトウェアの任意の組み合わせを備えてもよい。サードパーティデータソースは、サードパーティデータを販売するエンティティによって運営されてもよい。サードパーティデータは、キーワード標的化、天候データ、地理的データ、および消費者パターン等の情報を備えてもよい。サードパーティは、サードパーティデータに関する支払を受信してもよく、サードパーティデータソース１７０は、サードパーティデータを広告サーバ１４０に伝送してもよい。
【００２２】
システム１００は、ウェブサーバ１６０を備えてもよい。ウェブサーバ１６０は、加盟店によって運営される、またはそれと提携してもよい。ウェブサーバ１６０は、消費者がネットワークを経由してアクセスし得る、加盟店ウェブサイト、ニュースウェブサイト、または任意の他のタイプのウェブサイトまたはアプリケーション等、ウェブサイトへの消費者アクセスを提供してもよい。ウェブサーバ１６０は、バナー広告等の動的広告が消費者デバイスに表示されることを可能にする、ウェブサイトを提示してもよい。ウェブサーバ１６０は、ウェブサーバ１６０との消費者相互作用に関する情報を記憶する、ウェブクッキーを維持してもよい。
【００２３】
広告サーバ１４０は、動的作成キャンペーンを設定してもよい。広告サーバ１４０は、広告コンテンツ（例えば、動的コンテンツ）と、データ管理プラットフォーム１３０、サードパーティデータソース１７０、およびウェブサーバ１６０からの情報をマッチングさせる、または関連付けてもよい。広告サーバ１４０は、カードメンバのタイプ、ウェブページ上で現在閲覧されているコンテンツ、ウェブページ上で以前に閲覧されたコンテンツ、消費者によって入力されたキーワード、ウェブページ内に存在するタグ、人口統計情報、ＲＯＣデータ等の種々の要因に基づいて、マッチングを行ってもよい。例えば、ユーザが「家族休暇」を検索し、ＲＯＣデータが、ユーザがサーフィンを伴うトランザクションを完了したことを示す場合、広告サーバ１４０は、サーフィン休暇に関連する広告を選択してもよい。広告サーバ１４０は、バナー広告を選択し、消費者に伝送してもよい。バナー広告は、消費者に部分的または完全に個人化されてもよい。例えば、バナー広告は、旅行目的地情報、旅行日付、旅行日付に関するホテルオファー、消費者出費能力、消費者選好、消費者人口統計等に基づいて、個人化されてもよい。例えば、トランザクションデータが、木曜日のＳａｎ  Ｄｉｅｇｏへの航空券の消費者料金を含む場合、バナー広告は、１枚購入すると１枚無料となるＳｅａ  Ｗｏｒｌｄチケットを提供するように個人化されてもよい。
【００２４】
さらに、広告サーバ１４０は、バナー広告を動的に組み立ててもよい。例えば、画像、コピー、レイアウト、および画像化の順序が、消費者に個人化されてもよい。広告サーバ１４０は、データ管理プラットフォーム１３０、サードパーティデータソース１７０、およびウェブサーバ１６０からの情報等、広告サーバ１４０に利用可能な情報に基づいて、バナー広告を動的に組み立ててもよい。
【００２５】
本明細書で使用されるように、「〜とマッチングする」または「〜と関連付けられた」または類似語句は、同じマッチング、部分的マッチング、ある基準を満たすこと、データのサブセットにマッチングすること、相関、ある基準を満たすこと、対応、関連付け、アルゴリズム関係、および／または同等物を含んでもよい。同様に、本明細書で使用されるように、「〜を認証する」または類似用語は、正確な認証、部分的認証、データのサブセットを認証すること、対応、ある基準を満たすこと、関連付け、アルゴリズム関係、および／または同等物を含んでもよい。
【００２６】
種々の実施形態では、システム１００はさらに、消費者デバイス１８０を備えてもよい。消費者デバイス１８０は、電子メッセージを受信および表示することが可能な任意のデバイスを備えてもよい。例えば、消費者デバイス１８０は、コンピュータまたはプロセッサ、またはコンピュータ／プロセッサのセットの形態をとってもよいが、他のタイプのコンピューティングユニットまたはシステムも、使用されてもよく、ラップトップ、ノートブック、ハンドヘルドコンピュータ、携帯情報端末、携帯電話、スマートフォン（例えば、ｉＰｈｏｎｅ（登録商標）、ＢｌａｃｋＢｅｒｒｙ（登録商標）、Ｄｒｏｉｄ（登録商標）等）、タブレット、ウェアラブル（例えば、スマートウォッチおよびスマートグラス）、またはネットワーク１５０を経由してデータを受信可能な任意の他のデバイスを含む。消費者デバイス１８０は、その消費者情報、トランザクション履歴、および／または個々のトランザクション記録に基づいて、消費者に具体的に調整されたオファーを広告サーバ１４０から受信してもよい。
【００２７】
消費者は、消費者デバイス１８０を使用して、ウェブサイトにアクセスしてもよい。種々の実施形態では、消費者は、トランザクションアカウントプロバイダによって提供されるプログラムの中に、トランザクション情報を種々のサードパーティに提供し、標的化されたバナー広告を受信するように選んでもよい。
【００２８】
広告サーバによって得られる情報は、ウェブサイトがアクセスされたときに、消費者デバイス１８０上のフレームの中にロードされてもよい。ウェブサイトがその後開かれる度に、広告サーバは、現在の情報を種々のシステム関係者からプルおよび／または受信してもよい。したがって、ウェブサイトが消費者によってアクセスされる時間にかかわらず、広告は、消費者がウェブサイトにアクセスするときに最新となるであろう。
【００２９】
ネットワーク１５０は、ハードウェアおよび／またはソフトウェアコンポーネントを組み込む、任意のクラウド、クラウドコンピューティングシステム、または電子通信システムまたは方法を含んでもよい。パーティ間の通信は、例えば、電話回線、エクストラネット、イントラネット、インターネット、対面加盟店デバイス（店頭デバイス、携帯情報端末（例えば、ｉＰｈｏｎｅ（登録商標）、Ｐａｌｍ  Ｐｉｌｏｔ（登録商標）、Ｂｌａｃｋｂｅｒｒｙ（登録商標））、携帯電話、キオスク等）、オンライン通信、衛星通信、オフライン通信、無線通信、トランスポンダ通信、ローカルエリアネットワーク（ＬＡＮ）、広域ネットワーク（ＷＡＮ）、仮想プライベートネットワーク（ＶＰＮ）、ネットワーク化またはリンクされたデバイス、キーボード、マウス、および／または任意の好適な通信またはデータ入力モダリティ等、任意の好適な通信チャネルを通して遂行されてもよい。さらに、システムは、頻繁に、ＴＣＰ／ＩＰ通信プロトコルを用いて実装されるように本明細書に説明されるが、システムはまた、ＩＰＸ、Ａｐｐｌｅｔａｌｋ、ＩＰ−６、ＮｅｔＢＩＯＳ、ＯＳＩ、任意のトンネリングプロトコル（例えば、ＩＰｓｅｃ、ＳＳＨ）、または任意の数の既存または将来的プロトコルを使用して実装されてもよい。ネットワークが、インターネット等のパブリックネットワークの性質である場合、ネットワークが非セキュアであって、盗聴者の危険に曝されていると想定することが有利であり得る。インターネットに関して利用されるプロトコル、規格、およびアプリケーションソフトウェアに関連する具体的情報は、概して、当業者に公知であって、したがって、本明細書に詳述される必要がないものとする。例えば、Ｄｉｌｉｐ  Ｎａｉｋ，Ｉｎｔｅｒｎｅｔ  Ｓｔａｎｄａｒｄｓ  ａｎｄ  Ｐｒｏｔｏｃｏｌｓ（１９９８）；Ｊａｖａ（登録商標）  ２  Ｃｏｍｐｌｅｔｅ，ｖａｒｉｏｕｓ  ａｕｔｈｏｒｓ，（Ｓｙｂｅｘ１９９９）；Ｄｅｂｏｒａｈ  Ｒａｙ  ａｎｄ  Ｅｒｉｃ  Ｒａｙ，Ｍａｓｔｅｒｉｎｇ  ＨＴＭＬ４．０（１９９７）；ａｎｄ  Ｌｏｓｈｉｎ，ＴＣＰ／ＩＰ  Ｃｌｅａｒｌｙ  Ｅｘｐｌａｉｎｅｄ（１９９７）  ａｎｄ  Ｄａｖｉｄ  Ｇｏｕｒｌｅｙ  ａｎｄ  Ｂｒｉａｎ  Ｔｏｔｔｙ，ＨＴＴＰ，Ｔｈｅ  Ｄｅｆｉｎｉｔｉｖｅ  Ｇｕｉｄｅ（２００２）（その内容は、参照することによって本明細書に組み込まれる）を参照されたい。
【００３０】
ネットワークは、非セキュアであり得る。したがって、ネットワークを経由した通信は、データ暗号化を利用してもよい。暗号化は、当技術分野において現在利用可能である、または利用可能となり得る技法のいずれか、例えば、Ｔｗｏｆｉｓｈ、ＲＳＡ、Ｅｌ  Ｇａｍａｌ、Ｓｃｈｏｒｒシグネチャ、ＤＳＡ、ＰＧＰ、ＰＫＩ、ＧＰＧ（ＧｎｕＰＧ）、および対称および非対称暗号システムによって行われてもよい。
【００３１】
図２を参照すると、種々の実施形態による、個人化されたバナー広告を配信するためのプロセス２００が、図示される。トランザクションアカウントプロバイダは、消費者に関するトランザクション情報および人口統計情報をデータベース内に記憶してもよい（ステップ２１０）。種々の実施形態では、トランザクションアカウントプロバイダは、トランザクションに関する情報をＲＯＣから得てもよい。情報は、トランザクションのタイプ、消費者出費、消費者人口統計情報、旅行情報、または消費者に関連する任意の他の情報を備えてもよい。トランザクションアカウントプロバイダサーバは、追跡データを追跡ピクセルから得てもよい（ステップ２２０）。トランザクションアカウントプロバイダサーバは、追跡ピクセルを消費者デバイスに伝送してもよい。追跡データは、トランザクションアカウントプロバイダウェブサイト上の消費者のアクティビティに関する情報を備えてもよい。トランザクションアカウントプロバイダは、トランザクション情報、人口統計情報、および追跡データをデータ管理プラットフォームに伝送してもよい（ステップ２３０）。データ管理プラットフォームは、トランザクション情報および人口統計情報と追跡データをマッチングしてもよい。組み合わせられたトランザクション情報、人口統計情報、および追跡データデータは、ファーストパーティデータと称され得る。データ管理プラットフォームは、ファーストパーティデータを匿名化し、個人的に識別可能な情報を除去し、サーバ間統合を経由して、ファーストパーティデータを広告サーバに伝送してもよい。
【００３２】
トランザクションアカウントプロバイダは、サードパーティデータをサードパーティデータソースから購入してもよい。サードパーティデータソースは、サードパーティデータを広告サーバに伝送してもよい。
【００３３】
ウェブサーバは、セカンドパーティデータを消費者から収集してもよい。セカンドパーティデータは、ウェブサーバによって提供されるウェブサイト上の消費者のアクティビティに関する情報を備えてもよい。ウェブサーバは、セカンドパーティデータを広告サーバに伝送してもよい。
【００３４】
広告サーバは、ファーストパーティデータ、セカンドパーティデータ、およびサードパーティデータと一意のクッキーをマッチングしてもよい（ステップ２４０）。一意のクッキー内の情報に基づいて、広告サーバは、消費者に表示されるべき個人化されたバナー広告を選択してもよい（ステップ２５０）。例えば、ＲＯＣに基づいて、広告サーバは、消費者が具体的日付にある都市に旅行することを判定してもよく、セカンドパーティデータに基づいて、広告サーバは、消費者がレストランについてのウェブサイトを閲覧していることを判定してもよく、サードパーティデータに基づいて、広告サーバは、２０％割引のオファーがある成功変換率を有することを判定してもよく、広告サーバは、消費者と具体的日付のその都市内の２０％オフのレストランに関するオファーをマッチングする、または関連付けてもよい。
【００３５】
種々の実施形態では、加盟店は、出費額等の消費者に具体的な付加的情報に基づいて選択されてもよい。例えば、消費者が、比較的に高出費額を有する場合、選択された加盟店は、比較的により高価な加盟店であってもよい。種々の実施形態では、広告サーバは、ファーストパーティデータ、セカンドパーティデータ、またはサードパーティデータのうちの１つまたは２つのみへのアクセスを有してもよい。広告サーバは、利用可能なデータ（例えば、ファーストパーティデータおよびセカンドパーティデータ、ファーストパーティデータおよびサードパーティデータ、セカンドパーティデータおよびサードパーティデータ、ファーストパーティデータのみ、セカンドパーティデータのみ、またはサードパーティデータのみ）に基づいて、適切な広告を選択してもよい。
【００３６】
広告サーバは、個人化されたバナー広告を消費者デバイスに伝送してもよい（ステップ２６０）。種々の実施形態では、広告サーバは、個人化されたバナー広告をウェブサーバに伝送してもよく、ウェブサーバは、個人化されたバナー広告を消費者デバイスに伝送してもよい。したがって、消費者が、ウェブサーバによって提供されるウェブサイト上でブラウジングしている間、トランザクションアカウントプロバイダからのファーストパーティデータ、ウェブサーバからのセカンドパーティデータ、およびサードパーティデータソースからのサードパーティデータが全て、消費者に具体的に調整されるバナー広告を選択するために利用されてもよい。
【００３７】
主に、トランザクションアカウントトランザクションから得られた旅行情報を参照して本明細書に説明されるが、消費者情報は、種々のソースから得られてもよく、消費者がウェブサイトまたはモバイルアプリケーションにアクセスすると動的に選択される、種々の情報をバナー広告内に提供するために使用されてもよい。
【００３８】
語句「消費者」、「顧客」、「ユーザ」、「アカウント所有者」、「アカウント会員」、「カードメンバ」、または同等物は、任意の人物、エンティティ、事業体、政府機関、事業体、ソフトウェア、ハードウェア、トランザクションアカウントと関連付けられた機械、アカウントを使用する１つまたはそれを上回る加盟店によって供給される加盟店提供物の購入者、および／または物理的カードがアカウントと関連付けられるかどうかにかかわらず、トランザクションをアカウント上で行うために法的に指定された者を含むものとする。例えば、カードメンバは、トランザクションアカウント所有者、トランザクションアカウントユーザ、アカウント会員、子供アカウントユーザ、付随アカウントユーザ、アカウントの受益者、アカウントの管理人、および／またはトランザクションアカウントと提携する、またはそれと関連付けられた任意の他の人物またはエンティティを含んでもよい。
【００３９】
「内部データ」に類似する語句および用語は、特定の消費者に関するクレジット発行者が所有または取得する任意のデータを含んでもよい。内部データは、クレジット発行者とトランザクションアカウント所有者（例えば、消費者または購入者）との間の関係の前、その間、またはその後に集められてもよい。そのようなデータは、消費者人口統計データを含んでもよい。消費者人口統計データは、消費者に関する任意のデータを含む。消費者人口統計データは、消費者名、住所、電話番号、電子メールアドレス、雇用主、およびソーシャルセキュリティ番号を含んでもよい。消費者トランザクションデータは、任意の所与の時間周期の間に消費者が従事する特定のトランザクションに関する任意のデータである。消費者トランザクションデータは、例えば、トランザクション金額、トランザクション時間、トランザクション供給業者／加盟店、およびトランザクション供給業者／加盟店場所を含んでもよい。トランザクション供給業者／加盟店場所は、供給業者／加盟店に対する高特異性度を含有し得る。例えば、トランザクション供給業者／加盟店場所は、特定の区画または住所に位置する特定の郵便番号内の特定のガソリンスタンドを含んでもよい。また、例えば、トランザクション供給業者／加盟店場所は、供給業者／加盟店に関するユニフォームリソースロケータ（「ＵＲＬ」）、電子メールアドレス、および／またはインターネットプロトコル（「ＩＰ」）アドレス等の特定のウェブアドレスを含んでもよい。トランザクション供給業者／加盟店およびトランザクション供給業者／加盟店場所は、特定の消費者と関連付けられ、さらに、消費者のセットと関連付けられてもよい。消費者支払データは、借入債務の消費者の支払履歴に関する任意のデータを含む。消費者支払データは、消費者支払日、支払金額、残額、およびクレジット制限を含んでもよい。内部データはさらに、消費者のサービス依頼電話、クレーム、クレジット与信枠増加要求、質問、および注釈の記録を備えてもよい。消費者のサービス依頼電話の記録は、例えば、電話の日付、電話の理由、および実際の電話の任意の写しまたは概要を含む。
【００４０】
本明細書で論じられるいずれの通信、送信、および／またはチャンネルも、コンテンツ（例えば、データ、情報、メタデータ等）を配信するための任意のシステムおよび方法および／またはコンテンツ自体を含み得る。コンテンツは、任意の形態または媒体で提示することができ、種々の実施形態では、コンテンツは、電子的に配信および／または電子的に提示されることができる。例えば、チャンネルは、ウェブサイトまたはデバイス（例えば、Ｆａｃｅｂｏｏｋ、ＹｏｕＴｕｂｅ（登録商標）、ＡｐｐｌｅＴＶ（登録商標）、Ｐａｎｄｏｒａ（登録商標）、Ｘｂｏｘ（登録商標）、Ｓｏｎｙ（登録商標）  ＰｌａｙＳｔａｔｉｏｎ（登録商標））、ユニフォームリソースロケータ（ＵＲＬ）、ドキュメント（例えば、Ｍｉｃｒｏｓｏｆｔ  Ｗｏｒｄ（登録商標）ドキュメント、Ｍｉｃｒｏｓｏｆｔ  Ｅｘｃｅｌ（登録商標）ドキュメント、Ａｄｏｂｅ  ｐｄｆドキュメント等）、「電子書籍」、「電子雑誌」、アプリケーションまたはマイクロアプリケーション（本明細書に説明されるように）、ＳＭＳまたは他の形式のテキストメッセージ、電子メール、Ｆａｃｅｂｏｏｋ、ｔｗｉｔｔｅｒ、ＭＭＳ、および／または他の形式の通信技術を含むことができる。種々の実施形態では、チャンネルは、データパートナによってホストまたは提供されることができる。種々の実施形態では、配信チャンネルは、商業ウェブサイト、ソーシャルメディアウェブサイト、アフィリエイトまたはパートナウェブサイト、外部ベンダ、モバイルデバイス通信、ソーシャルメディアネットワーク、および／または位置ベースのサービスのうちの少なくとも１つを含むことができる。配信チャンネルは、商業ウェブサイト、ソーシャルメディアサイト、アフィリエイトまたはパートナウェブサイト、外部ベンダ、およびモバイルデバイス通信のうちの少なくとも１つを含むことができる。ソーシャルメディアサイトの例は、Ｆａｃｅｂｏｏｋ（登録商標）、ｆｏｕｒｓｑｕａｒｅ（登録商標）、Ｔｗｉｔｔｅｒ（登録商標）、ＭｙＳｐａｃｅ（登録商標）、Ｌｉｎｋｅｄｌｎ（登録商標）、および同等物を含む。アフィリエイトまたはパートナウェブサイトの実施例は、Ａｍｅｒｉｃａｎ  Ｅｘｐｒｅｓｓ（登録商標）、Ｇｒｏｕｐｏｎ（登録商標）、ＬｉｖｉｎｇＳｏｃｉａｌ（登録商標）、および同等物を含む。さらに、モバイルデバイス通信の実施例は、テキスティング、電子メール、およびスマートフォン用のモバイルアプリケーションを含む。
【００４１】
「消費者プロファイル」、「顧客データ」、または「消費者プロファイルデータ」は、消費者と関連付けられた属性を説明する、消費者についての任意の情報またはデータ（例えば、選好、関心、人口統計情報、個人的識別情報、および同等物）を備えてもよい。
【００４２】
種々の実施形態では、本明細書に説明される方法は、本明細書に説明される種々の特定の機構を使用して実装される。当業者には即座に理解できるであろうが、本明細書に説明される方法は、下記の特定の機構および以降に開発される機構を使用して、任意の適切な組み合わせで実装することができる。さらに、本開示から明らかであるように、本明細書に説明される方法は、ある物品の種々の変換をもたらし得る。
【００４３】
簡潔にすることを目的として、従来のデータネットワーク化、アプリケーションの開発、およびシステムの他の機能的な構成（およびシステムの個々の動作コンポーネントのコンポーネント）は、本明細書に詳細に説明されない場合がある。さらに、本明細書に含まれる種々の図に示されている接続線は、種々の要素間の例示的機能的関係および／または物理的接続を表すことを意図している。実際のシステムでは、多くの代替または追加の機能的関係および物理的接続が存在し得ることに、留意されたい。
【００４４】
本明細書で論じられる種々のシステムコンポーネントは、デジタルデータを処理するプロセッサを含むホストサーバまたは他の計算システムと、デジタルデータを記憶するためにプロセッサに結合されるメモリと、デジタルデータを入力するためにプロセッサに結合される入力デジタイザと、メモリに記憶され、プロセッサによってアクセス可能であり、プロセッサによるデジタルデータの処理を命令するアプリケーションプログラムと、プロセッサによって処理されたデジタルデータから導出される情報を表示するためにプロセッサおよびメモリに結合されるディスプレイデバイスと、複数のデータベースとのうちの１つまたはそれを上回るものを含むことができる。本明細書で使用される種々のデータベースは、クライアントデータ、加盟店データ、金融機関データ、および／またはシステムの動作において有用な同様のデータを含んでもよい。当業者には理解できるように、ユーザコンピュータは、オペレーティングシステム（例えば、Ｗｉｎｄｏｗｓ  ＮＴ（登録商標）、Ｗｉｎｄｏｗｓ９５／９８／２０００（登録商標）、Ｗｉｎｄｏｗｓ  ＸＰ（登録商標）、Ｗｉｎｄｏｗｓ  Ｖｉｓｔａ（登録商標）、Ｗｉｎｄｏｗｓ  ７（登録商標）、ＯＳ２、ＵＮＩＸ（登録商標）、Ｌｉｎｕｘ（登録商標）、Ｓｏｌａｒｉｓ（登録商標）、ＭａｃＯＳ等）および典型的にはコンピュータと関連する種々の従来のサポートソフトウェアおよびドライバとを含んでもよい。
【００４５】
本システムまたはその任意の部分または機能は、ハードウェア、ソフトウェア、またはそれらの組み合わせを使用して実装することができ、１つまたはそれを上回るコンピュータシステムまたは他の処理システムにおいて実装されてもよい。しかしながら、実施形態によって行われる操作とは、一般的に人間の操作者によって行われる精神的動作と関連付けられるマッチングまたは選択等に関してしばしば参照される。本明細書に説明されるいずれの動作でも、そのような人間の操作者の能力は必要ではなく、殆どの場合、望ましくない。むしろ、動作は、機械の動作であり得る。種々の実施形態を実施するために有用な機械は、汎用デジタルコンピュータまたは類似のデバイスを含む。
【００４６】
実際、種々の実施形態では、実施形態は、本明細書に説明される機能を実行することが可能な１つまたはそれを上回るコンピュータシステムを対象とする。コンピュータシステムは、プロセッサ等の１つまたはそれを上回るプロセッサを含む。プロセッサは、通信インフラストラクチャと接続される（例えば、通信バス、クロスオーバーバー、またはネットワーク）。種々のソフトウェア実施形態は、本例示的コンピュータシステムに関して説明される。本説明を熟読後、当業者には、他のコンピュータシステムおよび／またはアーキテクチャを使用して、種々の実施形態を実装する方法が、明らかになるであろう。コンピュータシステムは、ディスプレイユニットの表示のために、通信インフラストラクチャから（または図示されないフレームバッファから）グラフィック、テキスト、および他のデータを転送するディスプレイインターフェースを含むことができる。
【００４７】
コンピュータシステムはまた、例えば、ランダムアクセスメモリ（ＲＡＭ）等のメインメモリを含み、また、二次メモリも含むことができる。二次メモリは、例えば、ハードディスクドライブおよび／または可撤性記憶ドライブを含んでもよく、これはフロッピー（登録商標）ディスクドライブ、磁気テープドライブ、光ディスクドライブ等を表す。可撤性記憶デバイスは、周知の様式で、可撤性記憶ユニットからの読取および／またはそれヘの書込を行う。可撤性記憶ユニットとは、フロッピー（登録商標）ディスク、磁気テープ、光ディスク等を表すものであり、これに対して可撤性記憶デバイスによって読取および書込が行われる。理解されるように、可撤性記憶ユニットは、コンピュータソフトウェアおよび／またはデータをその中に記録したコンピュータ使用可能な記憶媒体を含む。
【００４８】
種々の実施形態では、二次メモリは、コンピュータプログラムまたは他の命令がコンピュータシステムへロードされることを可能にする他の類似のデバイスを含んでもよい。そのようなデバイスは、例えば、可撤性記憶ユニットおよびインターフェースを含んでもよい。そのようなものの実施例は、プログラムカートリッジおよびカートリッジインターフェース（ビデオゲーム装置等に見られるもの等）、可撤性メモリチップ（プログラム可能読取専用メモリ（ＥＰＲＯＭ）またはプログラム可能読取専用メモリ（ＰＲＯＭ）等）および関連するソケット、およびソフトウェアおよびデータが可撤性記憶ユニットからコンピュータシステムへ転送されることを可能にする他の可撤性記憶ユニットおよびインターフェースを含むことができる。
【００４９】
コンピュータシステムはまた、通信インターフェースを含む。通信インターフェースは、ソフトウェアおよびデータがコンピュータシステムと外部デバイスとの間で転送されることを可能にする。通信インターフェースの実施例は、モデム、ネットワークインターフェース（Ｅｔｈｅｒｎｅｔ（登録商標）カード等）、通信ポート、パーソナルコンピュータメモリカードインターナショナルアソシエーション（ＰＣＭＣＩＡ）スロットおよびカード等を含んでもよい。通信インターフェースを介して転送されるソフトウェアおよびデータは、信号の形態であり、それは、電子信号、電磁信号、光信号、または通信インターフェースによって受信可能な他の信号であり得る。これらの信号は、通信経路（例えば、チャンネル）を介して通信インターフェースへ提供される。本チャンネルは、信号を搬送するものであり、ワイヤ、ケーブル、光ファイバ、電話回線、セルラーリンク、無線周波数（ＲＦ）リンク、無線、および他の通信のチャンネルを使用して実装されてもよい。
【００５０】
「コンピュータプログラム媒体」および「コンピュータ使用可能媒体」および「コンピュータ可読媒体」という用語は、一般に、可撤性記憶ドライブおよびハードディスクドライブにインストールされているハードディスク等の媒体を指すために使用される。これらのコンピュータプログラム製品は、コンピュータシステムへソフトウェアを提供する。
【００５１】
コンピュータプログラム（コンピュータ制御論理とも称される）は、メインメモリおよび／または二次メモリに記憶される。コンピュータプログラムはまた、通信インターフェースを介して受信されてもよい。そのようなコンピュータプログラムは、実行されると、本明細書で論じられる特徴をコンピュータシステムに行わせることを可能にする。具体的には、コンピュータプログラムが実行されると、種々の実施形態の特徴をプロセッサによって行わせることを可能にする。したがって、そのようなコンピュータプログラムは、コンピュータシステムのコントローラに相当する。
【００５２】
種々の実施形態では、ソフトウェアは、コンピュータプログラム製品内に記憶され、可撤性記憶ドライブ、ハードディスクドライブ、または通信インターフェースを使用して、コンピュータシステムの中にロードされてもよい。制御論理（ソフトウェア）は、プロセッサによって実行されると、プロセッサに、本明細書に説明されるような種々の実施形態の機能を行わせる。種々の実施形態では、特定用途向け集積回路（ＡＳＩＣ）等のハードウェアコンポーネントが挙げられる。本明細書に説明される機能を行うようなハードウェア状態機械の実装は、当業者に明白となるであろう。
【００５３】
種々の実施形態では、システム１００のコンポーネント、モジュール、および／またはエンジンは、マイクロアプリケーション（ｍｉｃｒｏ−ａｐｐｌｉｃａｔｉｏｎ）またはマイクロアプリ（ｍｉｃｒｏ−ａｐｐ）として実装されてもよい。マイクロアプリは、典型的には、モバイルオペレーティングシステムの観点から展開され、モバイルオペレーティングシステムは、例えば、Ｐａｌｍ（登録商標）モバイルオペレーティングシステム、Ｗｉｎｄｏｗｓ（登録商標）モバイルオペレーティングシステム、Ａｎｄｒｏｉｄ（登録商標）オペレーティングシステム、Ａｐｐｌｅ（登録商標）ｉＯＳ、Ｂｌａｃｋｂｅｒｒｙ（登録商標）オペレーティングシステム、および同等物を含む。マイクロアプリは、種々のオペレーティングシステムおよびハードウェアリソースの動作を管理する所定のルールのセットを介して、大規模なオペレーティングシステムおよび関連するハードウェアのリソースを活用するように構成されてもよい。例えば、マイクロアプリが、モバイルデバイスまたはモバイルオペレーティングシステム以外のデバイスまたはネットワークと通信することを所望する場合、マイクロアプリは、モバイルオペレーティングシステムの所定のルールの下で、オペレーティングシステムおよび関連するデバイスハードウェアの通信プロトコルを活用してもよい。さらに、マイクロアプリがユーザからの入力を所望する場合、マイクロアプリは、オペレーティングシステムから応答を要求するように構成されてもよく、種々のハードウェアコンポーネントを監視し、次いで、検出した入力をハードウェアからマイクロアプリへ通信する。
【００５４】
種々のシステムコンポーネントは、独立して、または分離して、または集合的に、データリンクを介してネットワークに適切に結合され、例えば、標準モデム通信と関連して典型的に使用されるローカルループを経由してインターネットサービスプロバイダ（ＩＳＰ）への接続、ケーブルモデム、Ｄｉｓｈ  Ｎｅｔｗｏｒｋｓ（登録商標）、ＩＳＤＮ、デジタルサブスクライバライン（ＤＳＬ）、または種々の無線通信方法を含む。例えば、ＧＩＬＢＥＲＴ  ＨＥＬＤ，ＵＮＤＥＲＳＴＡＮＤＩＮＧ  ＤＡＴＡ  ＣＯＭＭＵＮＩＣＡＴＩＯＮＳ（１９９６年）（参照することによって、本明細書に組み込まれる）を参照されたい。ネットワークは、インタラクティブテレビジョン（ＩＴＶ）ネットワーク等の他のタイプのネットワークとして実装され得ることにも留意されたい。さらに、システムは、本明細書に説明される類似機能を有する任意のネットワークを経由して、任意の商品、サービス、または情報の使用、販売、または配布も考慮している。
【００５５】
「クラウド」または「クラウドコンピューティング」は、構成可能コンピューティングリソース（例えば、ネットワーク、サーバ、記憶装置、アプリケーション、およびサービス）の共有されるプールへの便利なオンデマンドのネットワークアクセスを可能にするモデルを含み、最小限の管理努力またはサービスプロバイダとの相互作用を用いて、迅速にプロビジョニングおよびリリースされることが可能である。クラウドコンピューティングは、位置に依存しないコンピューティングを含んでもよく、それによって、共有されるサーバは、リソース、ソフトウェア、およびデータを、オンデマンドでコンピュータおよび他のデバイスに提供する。クラウドコンピューティングに関するさらなる情報については、参照することによってその全体として本明細書に組み込まれる、ｈｔｔｐ：／／ｃｓｒｃ．ｎｉｓｔ．ｇｏｖ／ｐｕｂｌｉｃａｔｉｏｎｓ／ｎｉｓｔｐｕｂｓ／８００−１４５／ＳＰ８００−１４５．ｐｄｆ（最終訪問日：２０１２年６月）におけるＮＩＳＴ（Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ）のクラウドコンピューティングの定義を参照されたい。
【００５６】
本明細書で使用されるように、「伝送」は、ネットワーク接続を経由して、電子データを１つのシステムコンポーネントから別のコンポーネントに送信することを含んでもよい。加えて、本明細書で使用されるように、「データ」は、デジタル形態または他の任意の形態のコマンド、クエリ、ファイル、記憶のためのデータ、および同等物等の情報を含むことを含み得る。
【００５７】
「オファー」に類似する語句および用語は、任意の商品、サービス、情報、体験、エンターテインメント、データ、アイテム、割引、割戻、点、仮想通貨、コンテンツ、アクセス、レンタル、リース、寄付、アカウント、クレジット、デビット、利点、権利、報酬、ポイント、クーポン、クレジット、金銭均等物、価値のある任意のもの、最小限または無価値のいずれかのもの、金銭値、非金銭値および／または同等物を含んでもよい。さらに、本明細書で論じられる「トランザクション」または「購入」は、アイテムと関連付けられてもよい。さらに、「報酬」は、アイテムであってもよい。
【００５８】
本明細書で論じられるコンピュータは、ユーザによるアクセスが可能な適切なウェブサイトまたは他のインターネットベースのグラフィカルユーザインターフェースを提供することができる。一実施形態では、Ｍｉｃｒｏｓｏｆｔ  Ｉｎｔｅｒｎｅｔ  Ｉｎｆｏｒｍａｔｉｏｎ  Ｓｅｒｖｅｒ（ＩＩＳ）、Ｍｉｃｒｏｓｏｆｔ  Ｔｒａｎｓａｃｔｉｏｎ  Ｓｅｒｖｅｒ（ＭＴＳ）、およびＭｉｃｒｏｓｏｆｔ  ＳＱＬ  Ｓｅｒｖｅｒは、Ｍｉｃｒｏｓｏｆｔオペレーティングシステム、Ｍｉｃｒｏｓｏｆｔ  ＮＴウェブサーバソフトウェア、Ｍｉｃｒｏｓｏｆｔ  ＳＱＬ  Ｓｅｒｖｅｒデータベースシステム、およびＭｉｃｒｏｓｏｆｔ  Ｃｏｍｍｅｒｃｅ  Ｓｅｒｖｅｒと関連して使用される。加えて、ＡｃｃｅｓｓまたはＭｉｃｒｏｓｏｆｔ  ＳＱＬ  Ｓｅｒｖｅｒ、Ｏｒａｃｌｅ、Ｓｙｂａｓｅ、Ｉｎｆｏｒｍｉｘ  ＭｙＳＱＬ、Ｉｎｔｅｒｂａｓｅ等のコンポーネントは、Ａｃｔｉｖｅ  Ｄａｔａ  Ｏｂｊｅｃｔ（ＡＤＯ）対応のデータベース管理システムを提供するために使用されてもよい。一実施形態では、Ａｐａｃｈｅウェブサーバが、Ｌｉｎｕｘ（登録商標）オペレーティングシステム、ＭｙＳＱＬデータベース、およびＰｅｒｌ、ＰＨＰ、および／またはＰｙｔｈｏｎプログラミング言語と関連して使用される。
【００５９】
本明細書で論じられるいずれの通信、入力、記憶装置、データベース、またはディスプレイも、ウェブページを有するウェブサイトを通じて促進されてもよい。本明細書で使用される「ウェブページ」という用語は、ユーザとの相互作用に使用され得るドキュメントおよびアプリケーションの形式を限定することを意図していない。例えば、典型的なウェブサイトは、標準のＨＴＭＬドキュメントに加えて、種々のフォーム、Ｊａｖａ（登録商標）アプレット、ＪａｖａＳｃｒｉｐｔ（登録商標）、アクティブサーバページ（ＡＳＰ）、コモンゲートウェイインターフェーススクリプト（ＣＧＩ）、エクステンシブルマークアップランゲージ（ＸＭＬ）、ダイナミックＨＴＭＬ、カスケーディングスタイルシート（ＣＳＳ）、ＡＪＡＸ（Ａｓｙｎｃｈｒｏｎｏｕｓ  Ｊａｖａｓｃｒｉｐｔ（登録商標）  Ａｎｄ  ＸＭＬ）、ヘルパーアプリケーション、プラグイン、および同等物を含んでもよい。サーバは、ウェブサーバからの要求を受信するウェブサービスを含んでもよく、要求は、ＵＲＬ（ｈｔｔｐ：／／ｙａｈｏｏ．ｃｏｍ／ｓｔｏｃｋｑｕｏｔｅｓ／ｇｅ）およびＩＰアドレス（１２３．５６．７８９．２３４）を含む。ウェブサーバは、適切なウェブページを検索し、そのウェブページに関するデータまたはアプリケーションをＩＰアドレスに送信する。ウェブサービスはアプリケーションであり、インターネット等の通信手段を経由して他のアプリケーションと相互作用することが可能である。ウェブサービスは、典型的には、ＸＭＬ、ＳＯＡＰ、ＡＪＡＸ、ＷＳＤＬ、およびＵＤＤＩ等の規格またはプロトコルに基づく。ウェブサービスの方法は、当該分野において周知であって、多くの標準的な教科書に記載されている。例えば、ＡＬＥＸ  ＮＧＨＩＥＭ，ＩＴ  ＷＥＢ  ＳＥＲＶＩＣＥＳ：Ａ  ＲＯＡＤＭＡＰ  ＦＯＲ  ＴＨＥ  ＥＮＴＥＲＰＲＩＳＥ（２００３年）（参照することによって本明細書に組み込まれる）を参照されたい。
【００６０】
ミドルウェアは、異なるコンピュータシステム間での通信および／またはプロセスのトランザクションを促進するように適切に構成される任意のハードウェアおよび／またはソフトウェアを含んでもよい。ミドルウェアコンポーネントは、商業的に入手可能であり、当該分野では公知である。ミドルウェアは、商業的に入手可能なハードウェアおよび／またはソフトウェアを通じて、またはカスタムのハードウェアおよび／またはソフトウェアコンポーネントを通じて、またはそれらの組み合わせを通じて、実装されてもよい。ミドルウェアは、種々の構成の中で存在してもよく、また、スタンドアロンのシステムとして存在してもよく、インターネットサーバに存在するソフトウェアコンポーネントであってもよい。ミドルウェアは、本明細書で開示されるいずれかの目的のために、アプリケーションサーバの種々のコンポーネントと任意の数の内部または外部のシステムとの間でのトランザクションを処理するように構成されてもよい。商業的に入手可能なミドルウェア製品の実施例は、ＩＢＭ，Ｉｎｃ．（Ａｒｍｏｎｋ，ＮＹ）のＷｅｂＳｐｈｅｒｅ  ＭＱＴＭ（以前はＭＱＳｅｒｉｅｓ）である。ミドルウェアの別の実施例は、Ｅｎｔｅｒｐｒｉｓｅ  Ｓｅｒｖｉｃｅ  Ｂｕｓ（「ＥＳＢ」）アプリケーションである。
【００６１】
専門家はまた、ブラウザベースのドキュメント内でデータを表示するための方法が多数あることを理解するであろう。データは、標準的テキストで表してもよく、固定されたリスト、スクロール可能リスト、ドロップダウンリスト、編集可能テキストフィールド、固定テキストフィールド、ポップアップウィンドウ、または同等物の中で表すことができる。同様に、ウェブページ内のデータを修正するために利用可能な多数の方法があり、それらは、例えば、キーボードを使用した自由テキスト入力、メニュー項目の選択、チェックボックス、オプションボックス、および同等物等である。
【００６２】
本システムおよび方法は、機能的ブロックコンポーネント、スクリーンショット、随意の選択、および種々の処理ステップの観点から本明細書に説明され得る。そのような機能的ブロックは、規定された機能を果たすように構成される、任意の数のハードウェアおよび／またはソフトウェアコンポーネントによって実現されてもよいことを理解されたい。例えば、本システムは、１つまたはそれを上回るマイクロプロセッサまたは他の制御デバイスの制御下で種々の機能を実行し得る、種々の集積回路コンポーネント、例えば、メモリ要素、処理要素、論理要素、ルックアップテーブル、および同等物を採用してもよい。同様に、本システムのソフトウェア要素は、Ｃ、Ｃ＋＋、Ｃ＃、Ｊａｖａ（登録商標）、ＪａｖａＳｃｒｉｐｔ（登録商標）、ＶＢＳｃｒｉｐｔ、Ｍａｃｒｏｍｅｄｉａ  Ｃｏｌｄ  Ｆｕｓｉｏｎ、ＣＯＢＯＬ、Ｍｉｃｒｏｓｏｆｔ  Ａｃｔｉｖｅ  Ｓｅｒｖｅｒ  Ｐａｇｅｓ、アセンブラ、ＰＥＲＬ、ＰＨＰ、ａｗｋ、Ｐｙｔｈｏｎ、Ｖｉｓｕａｌ  Ｂａｓｉｃ、ＳＱＬ  Ｓｔｏｒｅｄ  Ｐｒｏｃｅｄｕｒｅｓ、ＰＬ／ＳＱＬ、任意のＵＮＩＸ（登録商標）シェルスクリプト、および拡張マークアップ言語（ＸＭＬ）等の任意のプログラミングまたはスクリプト言語を用いて実装されてもよく、種々のアルゴリズムは、データ構造、オブジェクト、プロセス、ルーチン、または他のプログラミング要素の任意の組み合わせを用いて実装される。さらに、本システムは、データ伝送、信号伝達、データ処理、ネットワーク制御、および同等物のために、任意の数の従来の技法を採用してもよいことに留意されたい。さらに、本システムは、ＪａｖａＳｃｒｉｐｔ（登録商標）、ＶＢＳｃｒｉｐｔ、または同等物等のクライアント側スクリプト言語に関するセキュリティ問題を検出または防止するために使用され得る。暗号化およびネットワークセキュリティの基本的紹介については、以下の参考文献のいずれかを参照されたい：（１）“Ａｐｐｌｉｅｄ  Ｃｒｙｐｔｏｇｒａｐｈｙ：Ｐｒｏｔｏｃｏｌｓ，Ａｌｇｏｒｉｔｈｍｓ，Ａｎｄ  Ｓｏｕｒｃｅ  Ｃｏｄｅ  ＩｎＣ，”  ｂｙ  Ｂｒｕｃｅ  Ｓｃｈｎｅｉｅｒ，ｐｕｂｌｉｓｈｅｄ  ｂｙ  Ｊｏｈｎ  Ｗｉｌｅｙ  ＆  Ｓｏｎｓ（ｓｅｃｏｎｄ  ｅｄｉｔｉｏｎ，１９９５）、（２）“Ｊａｖａ（登録商標）  Ｃｒｙｐｔｏｇｒａｐｈｙ”  ｂｙ  Ｊｏｎａｔｈａｎ  Ｋｎｕｄｓｏｎ，ｐｕｂｌｉｓｈｅｄ  ｂｙ  Ｏ’Ｒｅｉｌｌｙ  ＆  Ａｓｓｏｃｉａｔｅｓ  （１９９８）、（３）“Ｃｒｙｐｔｏｇｒａｐｈｙ  ＆  Ｎｅｔｗｏｒｋ  Ｓｅｃｕｒｉｔｙ：Ｐｒｉｎｃｉｐｌｅｓ  ＆  Ｐｒａｃｔｉｃｅ”  ｂｙ  Ｗｉｌｌｉａｍ  Ｓｔａｌｌｉｎｇｓ，ｐｕｂｌｉｓｈｅｄ  ｂｙ  Ｐｒｅｎｔｉｃｅ  Ｈａｌｌ。これらは全て、参照することによって本明細書に組み込まれる。
【００６３】
銀行は、システムの一部であってもよいが、銀行は、クレジットカード企業、カード支援企業、または金融機関と契約下にあるサードパーティ発行者等の他のタイプのカード発行機関を表してもよい。さらに、中間決済機関等の他の関係者も、トランザクションのいくつかの段階において関わり得るが、これらの関係者は示されないことに留意されたい。
【００６４】
当業者には理解できるように、システムは、既存のシステムをカスタム化したもの、アドオン製品、アップグレードされたソフトウェアを実行する処理装置、スタンドアロンシステム、分散型システム、方法、データ処理システム、データ処理のためのデバイス、および／またはコンピュータプログラム製品として、実装されてもよい。したがって、システムまたはモジュールのいずれの部分も、コードを実行する処理装置、インターネットベースの実施形態、全てのハードウェアの実施形態、またはインターネット、ソフトウェア、およびハードウェアの構成を組み合わせた実施形態の形態をとってもよい。さらに、システムは、コンピュータ可読記憶媒体上のコンピュータプログラム製品の形態であってもよく、記憶媒体において具現化されるコンピュータ可読プログラムコード手段を有する。任意の適切なコンピュータ可読記憶媒体を利用してもよく、ハードディスク、ＣＤ−ＲＯＭ、光学式記憶デバイス、磁気記憶デバイス、および／または同等物を含む。
【００６５】
システムおよび方法は、種々の実施形態に従った方法、装置（例えば、システム）、およびコンピュータプログラム製品のスクリーンショット、ブロック図、およびフローチャートの図を参照して本明細書に説明されている。ブロック図およびフローチャート例証の各機能ブロックおよびブロック図とフローチャート例証における機能ブロックの組み合わせを、それぞれ、コンピュータプログラム命令によって実装できることは、理解されるであろう。
【００６６】
これらのコンピュータプログラム命令は、汎用コンピュータ、特定用途向けコンピュータ、または他のプログラマブルデータ処理装置に、機械を生成するためにロードされてもよく、コンピュータまたは他のプログラマブルデータ処理装置で実行される命令は、フローチャートの１つまたは複数のブロックで規定された機能を実装するための手段を作成する。これらのコンピュータプログラム命令はまた、コンピュータ可読メモリに記憶されてもよく、コンピュータまたは他のプログラマブルデータ処理装置に、特定の様式で機能するように指示することができ、コンピュータ可読メモリに記憶された命令は、フローチャートの１つまたは複数のブロックで規定された機能を実装する命令手段を含む製品を生成する。コンピュータプログラム命令はまた、コンピュータ実装プロセスを生成するために、コンピュータまたは他のプログラム可能装置上で一連の動作ステップが行われるように、コンピュータまたは他のプログラム可能データ処理装置にロードされてもよく、コンピュータまたは他のプログラム可能装置で実行される命令は、フローチャートの１つまたは複数のブロックで規定された機能を実装するためのステップを提供する。
【００６７】
したがって、ブロック図およびフローチャートの例示の機能ブロックは、規定された機能を行う手段の組み合わせ、規定された機能を行うステップの組み合わせ、規定された機能を行うプログラム命令手段をサポートする。また、ブロック図およびフローチャート例証の各機能ブロックおよびブロック図とフローチャート例証における機能ブロックの組み合わせを、規定された機能またはステップを行う特定用途向けのハードウェアベースのコンピュータ、または特定用途向けのハードウェアとコンピュータ命令との適切な組み合わせのいずれかによって実装できることも、理解されるであろう。さらに、プロセスフローとその説明とは、ユーザウィンドウ、ウェブページ、ウェブサイト、ウェブフォーム、プロンプト等に言及してもよい。本明細書で説明された例証的ステップが、ウィンドウ、ウェブページ、ウェブフォーム、ポップアップウィンドウ、プロンプト、および同等物の使用を含む任意の数の構成に含まれ得ることを、専門家は理解するであろう。さらに、図示および説明された複数のステップは、簡潔にするために、展開されているが、１つのウェブページおよび／またはウィンドウへと組み合わせてもよいことも、理解すべきである。他の場合において、１つの処理ステップとして図示および説明されたステップは、便宜上、組み合わされているが、複数のウェブページおよび／またはウィンドウに分割されてもよい。
【００６８】
「非一過性」という用語は、伝搬する一過性の信号自体のみを特許請求の範囲から除去するものと理解され、伝搬する一過性の信号自体のみではない全ての標準的なコンピュータ可読媒体に対しての権利は放棄しない。換言すると、「非一過性コンピュータ可読媒体」および「非一過性コンピュータ可読記憶媒体」という用語の意味は、ＩｎＲｅ  Ｎｕｉｊｔｅｎにおいて、３５  Ｕ．Ｓ．Ｃ．  §  １０１の下で特許可能な主題の範囲外にあるとされた形態の一過性コンピュータ可読媒体のみを除くものと解釈されるべきである。
【００６９】
システム、方法、およびコンピュータプログラム製品が、提供される。本明細書における詳細な説明では、「種々の実施形態」、「一実施形態」、「ある実施形態」、「例示的実施形態」等に対する言及は、説明される実施形態が特定の特徴、構造、または特性を含み得ることを示すが、全ての実施形態がその特定の特徴、構造、または特性を必ずしも含むとは限らない。さらに、そのような語句は、同じ実施形態を必ずしも言及するとは限らない。さらに、特定の特徴、構造または、特性が実施形態と関連して記載されている場合、そのような特徴、構造、または特性を他の実施形態と関連して実施することは、それが明確に記載されているかどうかにかかわらず、当業者の知識の範囲内であることが思量される。説明を熟読後、代替実施形態において本開示を実装する方法が、当業者には明らかとなるであろう。
【００７０】
特定の実施形態についての利益、他の利点、および問題の解決法が、本明細書に説明される。しかしながら、利益、利点、および問題の解決法、および任意の利益、利点、または解決法を生じさせ得る、またはより明白にさせるいずれの要素も、本開示の決定的、必要、または本質的な特徴または要素として解釈されない。本開示の範囲は、したがって、添付の請求項によってのみ限定され、単数形での要素に対する言及は、明確に「唯一」と述べていない限り、「唯一」を意味することを意図しておらず、むしろ「１つまたはそれを上回る」を意味する。さらに、「Ａ、Ｂ、およびＣのうちの少なくとも１つ」または「Ａ、Ｂ、またはＣのうちの少なくとも１つ」に類似する語句が、特許請求の範囲または明細書で使用される場合、その語句は、Ａのみが実施形態において存在し得る、Ｂのみが実施形態において存在し得る、Ｃのみが実施形態において存在し得る、または要素ＡとＢとＣとの任意の組み合わせ、例えば、ＡとＢ、ＡとＣ、ＢとＣ、またはＡとＢとＣが１つの実施形態において存在し得るということを意味すると解釈されることを意図している。本開示は、方法を含むが、磁気または光メモリまたは磁気または光ディスク等の有形コンピュータ可読キャリア上のコンピュータプログラム命令として実施され得ることが考慮されている。当業者には公知の上記の例示的実施形態の要素と構造的、化学的、および機能的に等価の全てのものは、この言及により明確に本明細書に組み込まれるものとし、本特許請求の範囲に包括されることが意図される。さらに、デバイスまたは方法は、本開示による解決が求められる個々および全ての問題を対象とする必要はなく、特許請求の範囲によって包括される。
【００７１】
さらに、本開示におけるいずれの要素、コンポーネント、または方法のステップも、その要素、コンポーネント、または方法のステップが明確に特許請求の範囲に記載されているかどうかにかかわらず、公衆に献呈することは意図していない。本明細書の特許請求される要素は、要素が明確に「〜のための手段」という語を使用して記載されていないかぎり、３５Ｕ．Ｓ．Ｃ．１１２（ｆ）の規定の下で解釈されない。本明細書で使用されるように、「〜を備える（ｃｏｍｐｒｉｓｅｓ）」、「〜を備える（ｃｏｍｐｒｉｓｉｎｇ）」、または任意の他のその変形例のいずれも、非排他的包含を範囲に含むことを意図しており、要素のリストを含むプロセス、方法、物、または装置は、それらの要素のみを含むのではなく、明確には列挙されていない他の要素、またはそのようなプロセス、方法、物品、または装置に固有の他の要素も含み得る。
【図１】
2019501434.tif 000003
【図２】
2019501434.tif 000004
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
コンピュータ実装方法であって、
コンピュータベースのシステムによって、トランザクションアカウントに対するトランザクションを認証することと、
前記コンピュータベースのシステムによって、前記トランザクションに対するトランザクションデータをデータベース内に格納することと、
前記コンピュータベースのシステムによって、追跡ピクセルを消費者デバイスに伝送することと、
前記コンピュータベースのシステムによって、追跡データを前記追跡ピクセルから受信することと、
前記コンピュータベースのシステムによって、前記データベースから、前記トランザクションに対する前記トランザクションデータを検索することと、
前記コンピュータベースのシステムによって、前記追跡データと前記トランザクションに対する前記トランザクションデータを含むトランザクションアカウントデータとを組み合わせることと、
前記コンピュータベースのシステムによって、前記追跡データおよび前記トランザクションアカウントデータを広告サーバに伝送することと
を含み、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、方法。
【請求項２】
前記トランザクションアカウントデータは、料金の記録を含む、請求項１に記載の方法。
【請求項３】
前記個人化されたバナー広告は、前記消費者の旅行の目的地に基づいて選択される、請求項１に記載の方法。
【請求項４】
前記セカンドパーティデータは、前記消費者デバイス上のウェブクッキーによって得られる、請求項１に記載の方法。
【請求項５】
前記追跡データおよび前記トランザクションアカウントデータは、サーバ間統合を介して、前記広告サーバに伝送される、請求項１に記載の方法。
【請求項６】
前記個人化されたバナー広告は、カードメンバステータスに基づいて選択される、請求項１に記載の方法。
【請求項７】
前記個人化されたバナー広告は、動的に選択される、請求項１に記載の方法。
【請求項８】
システムであって、
プロセッサと、
前記プロセッサと通信するように構成される有形非一過性メモリであって、前記有形非一過性メモリは、その上に記憶される命令を有し、前記命令は、前記プロセッサによる実行に応答して、前記プロセッサに、
前記プロセッサによって、トランザクションアカウントに対するトランザクションを認証することと、
前記プロセッサによって、前記トランザクションに対するトランザクションデータをデータベース内に格納することと、
前記プロセッサによって、追跡ピクセルを消費者デバイスに伝送することと、
前記プロセッサによって、追跡データを前記追跡ピクセルから受信することと、
前記プロセッサによって、前記データベースから、前記トランザクションに対する前記トランザクションデータを検索することと、
前記プロセッサによって、前記追跡データと前記トランザクションに対する前記トランザクションデータを含むトランザクションアカウントデータとを組み合わせることと、
前記プロセッサによって、前記追跡データおよび前記トランザクションアカウントデータを広告サーバに伝送することと
を含む動作を行わせ、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、
有形非一過性メモリと
を備える、システム。
【請求項９】
前記トランザクションアカウントデータは、料金の記録を含む、請求項８に記載のシステム。
【請求項１０】
前記個人化されたバナー広告は、前記消費者の旅行の目的地に基づいて選択される、請求項８に記載のシステム。
【請求項１１】
前記セカンドパーティデータは、前記消費者デバイス上のウェブクッキーによって得られる、請求項８に記載のシステム。
【請求項１２】
前記追跡データおよび前記トランザクションアカウントデータは、サーバ間統合を介して、前記広告サーバに伝送される、請求項８に記載のシステム。
【請求項１３】
前記個人化されたバナー広告は、カードメンバステータスに基づいて選択される、請求項８に記載のシステム。
【請求項１４】
前記個人化されたバナー広告は、動的に選択される、請求項８に記載のシステム。
【請求項１５】
非一過性有形コンピュータ可読記憶媒体を含む製造品であって、前記非一過性有形コンピュータ可読記憶媒体は、その上に記憶される命令を有し、前記命令は、コンピュータベースのシステムによる実行に応答して、前記コンピュータベースのシステムに、
前記コンピュータベースのシステムによって、トランザクションアカウントに対するトランザクションを認証することと、
前記コンピュータベースのシステムによって、前記トランザクションに対するトランザクションデータをデータベース内に格納することと、
前記コンピュータベースのシステムによって、追跡ピクセルを消費者デバイスに伝送することと、
前記コンピュータベースのシステムによって、追跡データを前記追跡ピクセルから受信することと、
前記コンピュータベースのシステムによって、前記データベースから、前記トランザクションに対する前記トランザクションデータを検索することと、
前記コンピュータベースのシステムによって、前記追跡データと前記トランザクションに対する前記トランザクションデータを含むトランザクションアカウントデータとを組み合わせることと、
前記コンピュータベースのシステムによって、前記追跡データおよび前記トランザクションアカウントデータを広告サーバに伝送することと
を含む動作を行わせ、
前記広告サーバは、サードパーティデータをサードパーティデータソースから得て、
前記広告サーバは、セカンドパーティデータをウェブサーバから受信し、
前記広告サーバは、前記追跡データ、前記トランザクションアカウントデータ、前記サードパーティデータおよび前記セカンドパーティデータを一意のクッキー内でマッチングさせ、
前記広告サーバは、前記一意のクッキーに基づいて、個人化されたバナー広告を選択し、
前記広告サーバは、前記個人化されたバナー広告を前記消費者デバイスに伝送する、
有形非一過性メモリと
を備える、製造品。
【手続補正２】
【補正対象書類名】明細書
【補正対象項目名】０００４
【補正方法】変更
【補正の内容】
【０００４】
前述の特徴および要素は、本明細書に別様に明示的に示されない限り、排他的ではなく、種々の組み合わせにおいて組み合わせられてもよい。これらの特徴および要素および開示される実施形態の動作は、以下の説明および添付の図面に照らしてより明白となるであろう。
本明細書は、例えば、以下を提供する。
（項目１）
コンピュータ実装方法であって、
コンピュータベースのシステムによって、追跡ピクセルを消費者デバイスに伝送することと、
上記コンピュータベースのシステムによって、追跡データを上記追跡ピクセルから受信することと、
上記コンピュータベースのシステムによって、上記追跡データとトランザクションアカウントデータを組み合わせることと、
上記コンピュータベースのシステムによって、上記追跡データおよび上記トランザクションアカウントデータを広告サーバに伝送することと
を含み、
上記広告サーバは、サードパーティデータをサードパーティデータソースから得て、
上記広告サーバは、セカンドパーティデータをウェブサーバから受信し、
上記広告サーバは、上記追跡データ、上記トランザクションアカウントデータ、上記サードパーティデータおよび上記セカンドパーティデータを一意のクッキー内でマッチングさせ、
上記広告サーバは、上記一意のクッキーに基づいて、個人化されたバナー広告を選択し、
上記広告サーバは、上記個人化されたバナー広告を上記消費者デバイスに伝送する、方法。
（項目２）
上記トランザクションアカウントデータは、料金の記録を含む、項目１に記載の方法。
（項目３）
上記個人化されたバナー広告は、上記消費者の旅行の目的地に基づいて選択される、項目１に記載の方法。
（項目４）
上記セカンドパーティデータは、上記消費者デバイス上のウェブクッキーによって得られる、項目１に記載の方法。
（項目５）
上記追跡データおよび上記トランザクションアカウントデータは、サーバ間統合を介して、上記広告サーバに伝送される、項目１に記載の方法。
（項目６）
上記個人化されたバナー広告は、カードメンバステータスに基づいて選択される、項目１に記載の方法。
（項目７）
上記個人化されたバナー広告は、動的に選択される、項目１に記載の方法。
（項目８）
非一過性有形コンピュータ可読記憶媒体を含む製造品であって、上記非一過性有形コンピュータ可読記憶媒体は、その上に記憶される命令を有し、上記命令は、コンピュータベースのシステムによる実行に応答して、上記コンピュータベースのシステムに、
上記コンピュータベースのシステムによって、追跡ピクセルを消費者デバイスに伝送することと、
上記コンピュータベースのシステムによって、追跡データを上記追跡ピクセルから受信することと、
上記コンピュータベースのシステムによって、上記追跡データとトランザクションアカウントデータを組み合わせることと、
上記コンピュータベースのシステムによって、上記追跡データおよび上記トランザクションアカウントデータを広告サーバに伝送することと
を含む動作を行わせ、
上記広告サーバは、サードパーティデータをサードパーティデータソースから得て、
上記広告サーバは、セカンドパーティデータをウェブサーバから受信し、
上記広告サーバは、上記追跡データ、上記トランザクションアカウントデータ、上記サードパーティデータおよび上記セカンドパーティデータを一意のクッキー内でマッチングさせ、
上記広告サーバは、上記一意のクッキーに基づいて、個人化されたバナー広告を選択し、
上記広告サーバは、上記個人化されたバナー広告を上記消費者デバイスに伝送する、製造品。
（項目９）
上記トランザクションアカウントデータは、料金の記録を含む、項目８に記載の物品。
（項目１０）
上記個人化されたバナー広告は、上記消費者の旅行の目的地に基づいて選択される、項目８に記載の物品。
（項目１１）
上記セカンドパーティデータは、上記消費者デバイス上のウェブクッキーによって得られる、項目８に記載の物品。
（項目１２）
上記追跡データおよび上記トランザクションアカウントデータは、サーバ間統合を介して、上記広告サーバに伝送される、項目８に記載の物品。
（項目１３）
上記個人化されたバナー広告は、カードメンバステータスに基づいて選択される、項目８に記載の物品。
（項目１４）
上記個人化されたバナー広告は、動的に選択される、項目８に記載の物品。
（項目１５）
システムであって、
プロセッサと、
上記プロセッサと通信するように構成される有形非一過性メモリであって、上記有形非一過性メモリは、その上に記憶される命令を有し、上記命令は、上記プロセッサによる実行に応答して、上記プロセッサに、
上記プロセッサによって、追跡ピクセルを消費者デバイスに伝送することと、
上記プロセッサによって、追跡データを上記追跡ピクセルから受信することと、
上記プロセッサによって、上記追跡データとトランザクションアカウントデータを組み合わせることと、
上記プロセッサによって、上記追跡データおよび上記トランザクションアカウントデータを広告サーバに伝送することと
を含む動作を行わせ、
上記広告サーバは、サードパーティデータをサードパーティデータソースから得て、
上記広告サーバは、セカンドパーティデータをウェブサーバから受信し、
上記広告サーバは、上記追跡データ、上記トランザクションアカウントデータ、上記サードパーティデータおよび上記セカンドパーティデータを一意のクッキー内でマッチングさせ、
上記広告サーバは、上記一意のクッキーに基づいて、個人化されたバナー広告を選択し、
上記広告サーバは、上記個人化されたバナー広告を上記消費者デバイスに伝送する、
有形非一過性メモリと
を備える、システム。
（項目１６）
上記トランザクションアカウントデータは、料金の記録を含む、項目１５に記載のシステム。
（項目１７）
上記個人化されたバナー広告は、上記消費者の旅行の目的地に基づいて選択される、項目１５に記載のシステム。
（項目１８）
上記セカンドパーティデータは、上記消費者デバイス上のウェブクッキーによって得られる、項目１５に記載のシステム。
（項目１９）
上記追跡データおよび上記トランザクションアカウントデータは、サーバ間統合を介して、上記広告サーバに伝送される、項目１５に記載のシステム。
（項目２０）
上記個人化されたバナー広告は、カードメンバステータスに基づいて選択される、項目１５に記載のシステム。
【国際調査報告】
2019501434.tif 000005